(57)【要約】      （修正有）【課題】泥地、湿地、水田等のぬかるんだ場所（泥濘地）で作業をする際における泥からの足の引き抜きを、簡単にかつ確実に実現できる、実用性を十分に備えた、引き抜き用通気構造を提供すること。【解決手段】靴引き抜き用通気構造１０は、両開放端部２、３間に弁またはその他の障害物のない筒体からなり、筒体はその一開放端部３が長靴９の甲部より下方に到るよう形成されている。靴引き抜き用通気構造１０は、これが長靴９の一部として長靴９と一体に形成されているにせよ、また長靴とは独立した物品としてのものであるにせよ、いずれにしても長靴９に備えられた状態で用いられる。【選択図】図１Ａ
2013226273.tif 000002
【特許請求の範囲】
【請求項１】
踝（くるぶし）以上を覆う履き物であるところの長靴（以下、「長靴」という。）に備えた状態で用いられる靴引き抜き用通気構造であって、該構造は両開放端部間に弁またはその他の障害物のない筒体からなり、該筒体はその一開放端部が該長靴の甲部より下方に到るよう形成されており、かかる構成により該長靴による泥濘地歩行の際に該長靴を泥濘から引き抜きやすくする、靴引き抜き用通気構造。
【請求項２】
前記筒体は、前記長靴を泥濘から引き抜こうとする際に、中に入り込んだ泥が落下可能な程度の内部断面積により形成されていることを特徴とする、請求項１に記載の靴引き抜き用通気構造。
【請求項３】
前記筒体は、２０ｃｍ２以上の内部断面積により形成されていることを特徴とする、請求項１に記載の靴引き抜き用通気構造。
【請求項４】
前記筒体は、その一開放端部が前記長靴の踵部に到るよう形成されていることを特徴とする、請求項１ないし３のいずれかに記載の靴引き抜き用通気構造。
【請求項５】
前記筒体は、上方の開放端部が前記長靴の筒状部の最上部に到るよう形成されていることを特徴とする、請求項１ないし４のいずれかに記載の靴引き抜き用通気構造。
【請求項６】
前記筒体は、略直管状に形成されていることを特徴とする、請求項１ないし５のいずれかに記載の靴引き抜き用通気構造。
【請求項７】
前記靴引き抜き用通気構造は、前記長靴の筒状部後部に一体に設けられたものであることを特徴とする、請求項１ないし６のいずれかに記載の靴引き抜き用通気構造。
【請求項８】
請求項７に記載の靴引き抜き用通気構造を備えている、踝以上を覆う履き物であるところの長靴。
【請求項９】
前記靴引き抜き用通気構造は、前記長靴本体に取付可能な付属物の形態であることを特徴とする、請求項１ないし６のいずれかに記載の靴引き抜き用通気構造。
【請求項１０】
請求項９に記載の靴引き抜き用通気構造を備えた、靴引き抜き用筒状具。
【請求項１１】
長靴の筒状部後部に適合する形状を備えた筒体と、該長靴に取り付けるための該筒体に設けられた取付手段とからなり、該長靴に脱着可能であることを特徴とする、請求項１０に記載の靴引き抜き用筒状具。
【発明の詳細な説明】
【技術分野】
【０００１】
本発明は引き抜き用通気構造、長靴および靴引き抜き用筒状具に係り、特に泥地、湿地、水田等のぬかるんだ場所（泥濘地）で作業をする際に、泥から足を抜きやすくすることのできる、引き抜き用通気構造、長靴および靴引き抜き用筒状具に関する。
【背景技術】
【０００２】
泥濘地で作業中に足（長靴）が抜けなくなるのは、泥から足を抜こうとすると、靴底と泥が密着して吸盤使用時のような真空状態が発生することによる。強く抜こうとすると真空状態が一層強くなるため、ますます抜けなくなってしまう。かかる問題の解決を目指した従来技術として、後掲特許文献１に開示された技術がある。
【０００３】
これは、長靴の上部または内部から靴底へ通じる空気孔を設け、空気孔の靴底側には弁を付けた構成であり、長靴を泥に対して踏み込む時はその圧力で弁が閉じて泥水等の逆流を防ぎ、一方、泥から引き抜く時は靴底に発生する吸引力により弁が開いて空気孔から空気が流入する作用が生じるとする。これによって真空状態が解消されて吸引力が発生せず、泥から靴を容易に引き抜くことができると説明されている。
【先行技術文献】
【特許文献】
【０００４】
【特許文献１】特開平８−２９４４０２号公報「底に空気孔を付けた長靴」
【発明の概要】
【発明が解決しようとする課題】
【０００５】
しかし、出願人による実験の結果、上記文献開示技術には次のような問題があって、所期の目的を良好に達せられないことが確認された。
１）弁はうまく機能しない
空気孔が靴底、しかも土踏まずの位置に設けられているが、この箇所は靴底の中でも土が一番厚く溜る所である。泥の中から足を抜こうとして踏ん張ると靴底に泥を押す強い圧力が発生し、靴底の下方においては、まず、泥中に存在する水や空気等の高流動性かつ低粘度の物質が、より圧力の低い方へと移動する。その結果、水分が少なくて高粘度かつ低流動性の物質、すなわち硬い泥が、空気孔の設けられた箇所に残ることとなる。そして靴を抜こうとする時、空気孔に存在する弁が開かれなくてはならないのだが、この硬い泥が障害となり、弁はうまく開かなかった。
【０００６】
つまり、足を抜こうとすると、靴底の真空状態が強まり、低粘度かつ高流動性の水や空気等が靴底に移動しようとする。この時、靴底にある泥は周囲の高流動性の泥よりも硬い状態になっていて、靴底と一体化して真空状態の形成に寄与しており、空気孔（空気流通管）を通して空気を靴底から外へ送出することは困難となり、結局、靴を引き抜きやすくする効果が得られなかった。
【０００７】
２）空気流通管に泥が詰まる
空気流通管の断面積があまりにも小さ過ぎ、仮に管内に泥を導入できた場合であっても、その後の自由落下による泥の排出が全くなされないか、またはなされた場合であっても極めて困難であった。
【０００８】
３）  空気流通管を空気が流通しにくい
人の歩行動作では、踵から着地していき、踵から離す。つまり、泥の中の靴底のうち一番最初に地表に出てくるとともに、最も抜きやすい部位が、踵部である。逆に、つま先に近いほど抜きにくくなるが、文献開示技術では空気孔は踵部よりもつま先よりであるところの土踏まず部分に設けられているため、良好な空気流通を得られない。
【０００９】
本願が解決しようとする課題は、かかる従来技術の問題点を解消し、泥地、湿地、水田等のぬかるんだ場所（泥濘地）で作業をする際における泥からの足の引き抜きを、簡単にかつ確実に実現することのできる、実用性を十分に備えた、引き抜き用通気構造、長靴および靴引き抜き用筒状具を提供することである。
【課題を解決するための手段】
【００１０】
上記課題について検討した結果、本願発明者は、足(靴）を泥から容易に抜け出させるためには、靴底と泥の間への良好な空気の送り込みが必要であることに、まず想到した。さらに、従来技術の問題点をも踏まえ、通気構造（空気流通管）には弁はむしろ設けずに単純な管状（筒状）の構造とすべきこと、通気構造を機能させるためにはその内部断面積をある程度以上のものとすべきこと、また、通気構造の下方端部を靴底ではなく踵部に設けるべきことに想到した。
【００１１】
そして、長靴の後部の踵からふくらはぎの部分に筒状の空洞を設ける構造を用いることで、足を抜く動作をした際に靴底と泥の間への良好な空気の送り込みがなされ、泥から足(靴)が容易に抜けることを実験により確認し、これらを基礎として本発明の完成に至った。すなわち、上記課題を解決するための手段として本願で特許請求される発明、もしくは少なくとも開示される発明は、以下のとおりである。
【００１２】
〔１〕  踝（くるぶし）以上を覆う履き物であるところの長靴（以下、「長靴」という。）に備えた状態で用いられる靴引き抜き用通気構造であって、該構造は両開放端部間に弁またはその他の障害物のない筒体からなり、該筒体はその一開放端部が該長靴の甲部より下方に到るよう形成されており、かかる構成により該長靴による泥濘地歩行の際に該長靴を泥濘から引き抜きやすくする、靴引き抜き用通気構造。
〔２〕  前記筒体は、前記長靴を泥濘から引き抜こうとする際に、中に入り込んだ泥が落下可能な程度の内部断面積により形成されていることを特徴とする、〔１〕に記載の靴引き抜き用通気構造。
〔３〕  前記筒体は、２０ｃｍ２以上の内部断面積により形成されていることを特徴とする、〔１〕に記載の靴引き抜き用通気構造。
【００１３】
〔４〕  前記筒体は、その一開放端部が前記長靴の踵部に到るよう形成されていることを特徴とする、〔１〕ないし〔３〕のいずれかに記載の靴引き抜き用通気構造。
〔５〕  前記筒体は、上方の開放端部が前記長靴の筒状部の最上部に到るよう形成されていることを特徴とする、〔１〕ないし〔４〕のいずれかに記載の靴引き抜き用通気構造。
【００１４】
〔６〕  前記筒体は、略直管状に形成されていることを特徴とする、〔１〕ないし〔５〕のいずれかに記載の靴引き抜き用通気構造。
〔７〕  前記靴引き抜き用通気構造は、前記長靴の筒状部後部に一体に設けられたものであることを特徴とする、〔１〕ないし〔６〕のいずれかに記載の靴引き抜き用通気構造。
〔８〕  〔７〕に記載の靴引き抜き用通気構造を備えている、踝以上を覆う履き物であるところの長靴。
〔９〕  前記靴引き抜き用通気構造は、前記長靴本体に取付可能な付属物の形態であることを特徴とする、〔１〕ないし〔６〕のいずれかに記載の靴引き抜き用通気構造。
〔１０〕  〔９〕に記載の靴引き抜き用通気構造を備えた、靴引き抜き用筒状具。
〔１１〕  長靴の筒状部後部に適合する形状を備えた筒体と、該長靴に取り付けるための該筒体に設けられた取付手段とからなり、該長靴に脱着可能であることを特徴とする、〔１０〕に記載の靴引き抜き用筒状具。
【発明の効果】
【００１５】
本発明の引き抜き用通気構造、長靴および靴引き抜き用筒状具は上述のように構成されるため、これによれば、泥地、湿地、水田等のぬかるんだ場所（泥濘地）で作業をする際における泥濘からの足の引き抜きを、簡単にかつ確実に行うことができる。
【００１６】
また、本発明の長靴等は、従来技術と異なり優れた実用性を備えているのみならず、従来技術よりも簡易な構造であるため、製造が容易で、製造コストも軽減でき、弁その他の障害物を有しない単純な構造を基礎とするため、メンテナンス性にも優れている。本発明の引き抜き用通気構造は、長靴中に一体化された形態で、いわば泥濘地用長靴として実用化することも、また、既存の一般的な長靴に脱着可能に装着したり、あるいは固着させて使用する用具として実用化することも可能である。
【００１７】
なお、本発明にいう長靴には、雨具や農作業・土木作業用としてのゴム長靴やレインブーツのみならず、踝以上を覆う履き物であるいわゆるブーツを、広く含むものとする。したがって、用途（農作業、土木作業、水産・水産加工業、乗馬、登山、スポーツ、ファッション、軍用、その他）、デザイン、構造、丈の長さ（踝上程度、脛まで、膝まで、腿も覆う物、その他）、素材などには限定されず、本発明は幅広い長靴・ブーツ分野に対して適用可能である。
【図面の簡単な説明】
【００１８】
【図１Ａ】本発明の靴引き抜き用通気構造の基本構成例を示す斜視説明図である。
【図１Ｂ】図１Ａに示す靴引き抜き用通気構造の基本構成例を示す平面視説明図である。
【図２】本発明靴引き抜き用通気構造の別の構成例を示す説明図である。
【図３】着脱可能な本発明靴引き抜き用筒状具の例を示す説明図である。
【発明を実施するための形態】
【００１９】
本発明について、図面を用いて詳細に説明する。
図１Ａは、本発明の靴引き抜き用通気構造の基本構成例を示す斜視説明図である。また、図１Ｂは同じく平面視説明図である。これらに示す様に本靴引き抜き用通気構造１０は、両開放端部２、３間に弁またはその他の障害物のない筒体（１０）からなり、筒体（１０）はその一開放端部３が長靴９の甲部より下方に到るよう形成されていることを、主たる構成とする。靴引き抜き用通気構造１０は、これが長靴９の一部として長靴９と一体に形成されているにせよ、また長靴とは独立した物品としてのものであるにせよ、いずれにしても、長靴９に備えられた状態で用いられる。なお、上述の従来技術とは異なり、空気を送り込むための開放端部３は、長靴９の靴底面に設けられる構成ではない。
【００２０】
また、本靴引き抜き用通気構造（筒体）１０の断面形状、断面積、全体形状およびサイズ、長靴９における上方・下方の各開放端部の位置などの仕様は、図示された形態に限定されない。要するに、内部に泥が入り込んだ場合に、長靴９の引き上げ動作に伴ってその泥が自然落下することでこれを排出可能なように、内部断面積その他の仕様が備えられていればよく、そうである限り、全て本発明の範囲内である。
【００２１】
かかる構成により、本発明の靴引き抜き用通気構造（筒体）１０によれば、長靴９を履いての泥濘地歩行の際に、泥濘中に進入した長靴９が、泥濘から引き抜きやすくなる。つまり泥濘中に進入した長靴９は、その底部８が泥濘中に嵌まった状態であるとともに、筒体１０もまたその下部が泥濘中にある状態となっており、筒体１０の下方開放端部は泥濘中にあって本靴引き抜き用通気構造１０内部に泥が入り込んだ状態である。
【００２２】
長靴９を泥濘から引き抜くために上方に引き上げようとすると、筒体１０はその両端部が開放端部２、３となっているために、上方の開放端部２から空気が内部に入り込み、内部の泥が下方に自然落下するとともに入り込んだ空気もまた下方の開放端部３へ向けて流通し、長靴９の甲部より下方に到るよう形成されている開放端部３から外方へと排出される。かかる作用は、筒体１０に何らの弁またはその他の障害物が存在しないために、円滑・良好になされ、その結果、靴底部８と泥濘の間に空気の送り込みが良好になされる。これにより、靴底と泥濘の間に形成されていた真空状態が解消され、長靴９を泥濘から容易に引き抜くことができる。
【００２３】
筒体１０に弁その他の空気流通の障害となるような機構を設けないことは、筒体１０内の空気の流通を円滑ならしめるという主たる効果の他に、メンテナンス性や耐久性を高めることにもなる。つまり、弁等は故障や破損を生じやすいが、本発明靴引き抜き用通気構造１０ではそのような心配がなく、形態としては単純な筒体であるため、実質的にメンテナンスフリーであるといえる。
【００２４】
本靴引き抜き用通気構造１０を構成する筒体は、長靴９を泥濘から引き抜こうとする際に、中に入り込んだ泥が落下可能な程度の内部断面積により形成されることとする。つまり、通気構造を機能させるために必要な内部断面積により、形成されることとする。泥が落下可能な程度の内部断面積を筒体が備えている限り、具体的な断面積に本発明が限定されるものではない。しかし、図示する例における略三日月形や、あるいは楕円形など、筒体１０が窪み箇所のない内部断面形状を有する場合は、内部の断面積を、筒体１０のどの箇所においても２０ｃｍ２以上とすることによって、より円滑な空気流通とそれによる高い真空状態解消効果を得ることができ、本発明の実施形態としてより望ましい。
【００２５】
なお、筒体１０の内部断面積は大きければ大きい程、空気流通および真空状態解消効果が大きくなる。したがって、長靴９として要求される機能を損なわない限り、内部断面積を大きくすることが推奨される。また、内部断面形状としては上述のとおり、窪みのない形状とすることが望ましい。また本発明においては、筒体１０の内部断面積が空気流通方向上において異なるものとなっている構成を排除しない。たとえば、下方の開放端部３から上方の開放端部２へと断面積が漸増する、すなわち拡径する形態であってもよい。ただし、窪みのある側方断面形状としないことが、推奨される。
【００２６】
図示するように本靴引き抜き用通気構造１０を構成する筒体は、その下方の開放端部３が長靴９の踵部８Ｈまたはその近傍に到るよう形成されたものとすることができる。かかる構成とすることによって、泥濘との間で真空状態が形成されている長靴９の底部８は、泥濘の外に最も出やすい踵部８Ｈまたはその近傍に設けられた開放端部３からの空気の送り込みを良好に受けるため、十分な真空状態解消効果が得られる。なお図示するように、本願発明にいう「踵部」は靴底の最後端部という狭い範囲ではない。本発明の踵部の範囲は概略、上下方向では長靴の甲部（足の表体部上面に相当する部分）の上端線から靴底まで、横方向では筒状部（図では７）側面の中心線から後端部まで、の範囲をいうものとする。
【００２７】
図示するように本靴引き抜き用通気構造１０を構成する筒体は、上方の開放端部２が長靴９の筒状部７の最上部７Ｔに到るよう形成されたものとすることができる。開放端部２は、後出図２にも示すように、泥濘外部の外気を筒体１０の内部に流通せしめるべく泥濘よりも高い位置であればよく、本靴引き抜き用通気構造１０はそのように形成されればよい。しかし図１に示すごとく、筒状部７の最上部位置にに開放端部２を設けることとしても、もちろんよい。これにより、長靴９を用いる対象の泥濘地である限り、泥濘への嵌まり込みの深さ如何に関わらず、本靴引き抜き用通気構造１０を機能せしめ、引き抜きを容易にする効果を得ることができる。
【００２８】
上述したように本靴引き抜き用通気構造１０は、長靴９の筒状部７の後部に、長靴９の一部としてこれと一体に設けられた構成とすることができる。上方の開放端部２は長靴９の最上部７Ｔ位置に設け、また開放端部２から取り込んだ空気の排出口たる開放端部３は長靴９の最下部位置すなわち踵部８Ｈの位置に設け、筒体１０の全体を長靴９の筒状部７の形態に合わせてほぼ真っ直ぐな形態にすることが望ましい。かかる構成により、筒体１０内部は直管状となり、入り込んだ泥の自然落下および上方からの空気流通・排出が十分円滑になされ、靴底と泥濘との間の真空状態を解消する効果を、十分に得られる。なお、筒体１０を、その内壁側断面が略一直線状となる略直管状に形成すれば、より高い効果が得られる。
【００２９】
靴引き抜き用通気構造１０を一体に備えて製造された長靴９自体もまた、本発明の範囲内である。かかる長靴の製造にあたっては、たとえば、長靴９の筒状部７を帯状の材料の端部同士を接合させることによって形成する際に、一方端部側に重複部分（余剰部分）を残し、それを用いて空隙部を形成するように当該端部を接合することによって、容易に製造可能である。
【００３０】
図２は、本発明靴引き抜き用通気構造の別の構成例を示す説明図である。図示するように本靴引き抜き用通気構造は、長靴２９本体に取付可能な靴引き抜き用筒状具２１０の形態をとる構成とすることができる。靴引き抜き用筒状具２１０は、既存の長靴２９に接着剤等によって固着するタイプ、または着脱可能なタイプ、いずれの形態としてもよい。
【００３１】
図３は、着脱可能な本発明靴引き抜き用筒状具の例を示す説明図である。図示するように本靴引き抜き用筒状具３１０は、長靴の筒状部後部に適合する形状を備えた筒体と、長靴に取り付けるための筒体に設けられた取付手段３４ａ、３４ｂ、３５ａ、３５ｂとからなり、長靴に脱着可能であることを、特徴的な構成とする。図示するように本例における取付手段は締結用のベルトであるが、本発明はこれに限定されず、たとえば面ファスナーを用いるなど、適宜の取付手段を用いることができる。
【産業上の利用可能性】
【００３２】
本発明の引き抜き用通気構造、長靴および靴引き抜き用筒状具によれば、泥地、湿地、水田等のぬかるんだ場所（泥濘地）で作業をする際における泥からの足の引き抜きを、簡単にかつ確実に行うことができる。また本発明の長靴等は、実用性に優れ、製造が容易で製造コストも軽減でき、メンテナンス性・耐久性にも優れている。そして、泥濘地用長靴としても、既存の長靴に装着する専用用具として実用化することができる。したがって、靴製造その他関連産業上において利用性が高い発明である。
【符号の説明】
【００３３】
２、３、２２、２３、３２、３３…開放端部
７、２７…筒状部
７Ｔ…最上部
８、２８…底部
８Ｈ、２８Ｈ…踵部
９、２９…長靴
１０…靴引き抜き用通気構造（筒体）
２１０、３１０…靴引き抜き用筒状具
３４ａ、３４ｂ、３５ａ、３５ｂ…取付手段
【図１Ａ】
2013226273.tif 000003
【図１Ｂ】
2013226273.tif 000004
【図２】
2013226273.tif 000005
【図３】
2013226273.tif 000006